(57)【要約】【課題】  立ち入りが可能であるとともに、管理が容易である、景観に優れた緑化方法及び緑地の管理方法を提供する。【解決手段】  対象地盤（植栽基盤Ｋ）に日本芝１０を植え付けるとともに、この日本芝１０と共生可能であり、かつ、自然更新する日本在来の花を付ける野草２０を植え付けて、この対象地盤を緑地にすることにより、年間を通して、花を楽しむことができ、かつ、対象地盤に植え付けられた植物が維持される緑地を形成するものである。【選択図】      図１
2005328705.tif 000002
【特許請求の範囲】
【請求項１】
対象基盤に日本芝を植え付けるとともに、
自然更新して花を付け、かつ、前記日本芝と共生可能である、日本在来の花を付ける野草を植え付けて前記対象地盤を緑地にすること、を特徴とする緑化方法。
【請求項２】
対象基盤に日本芝を植え付けて、前記対象地盤に活着させる工程と、
前記日本芝を活着させた後に、自然更新して花を付け、かつ、前記日本芝と共生可能である、日本在来の花を付ける野草を植え付ける工程と、を備え、
前記対象地盤を緑地にすることを特徴とする緑化方法。
【請求項３】
対象基盤に日本芝を植え付けると同時に、
自然更新して花を付け、かつ、前記日本芝と共生可能である、日本在来の花を付ける野草を植え付けて前記対象地盤を緑地にすること、を特徴とする緑化方法。
【請求項４】
前記請求項１乃至請求項３のいずれか１項に記載の緑化方法により緑化された前記緑地を、
少なくとも、
日本芝のほとんどで出穂が確認されたときに所定草高となるように刈り込みをする第一の刈り込み工程と、
前記第一の刈り込み工程の後、１ヶ月から２ヶ月の間の時期に所定草高となるように刈り込みをする第二の刈り込み工程と、
前記第二の刈り込み工程の後、２ヶ月から３ヶ月の間の時期に所定草高となるように刈り込みをする第三の刈り込み工程と、を行い、
前記第三の刈り込み工程の後において、前記緑地に施肥を行うこと、を特徴とする緑地の管理方法。
【発明の詳細な説明】
【技術分野】
【０００１】
本発明は、公園を含む多目的広場、校庭、法面、遊休地等の基盤や、屋上を含む建築構造物周辺等の人工地盤上に設けることができる緑化方法に関する。
【背景技術】
【０００２】
近年、ヒートアイランド対策、ヒーリング効果及びアメニティ効果といった面から緑地に対する関心が高まっている。そのような中、立ち入りが可能であり、管理を容易に行う要請が強い公園等の緑地の造成には、被覆力に優れ、踏圧に耐える芝が単独で使われている。この芝には、北海道以南では、暑さや乾燥に強い日本芝が主に使われているが、日本芝は冬になると地上部が枯れてしまう。そのため、常緑緑地を造成するためには、冬期でも緑葉を保つことができる寒地型芝などの外来芝を併用する必要があった（特許文献１）。
また、芝以外に、花を楽しむための緑地は、在来の草花類やワイルドフラワーという外来野草の種子を播くことや苗を植え付けることによって造成されていた。
【特許文献１】特開平１０−３１３６７４号公報（［０００７］−［００１３］）
【発明の開示】
【発明が解決しようとする課題】
【０００３】
しかし、前記芝により常緑の緑地を造成するためには、複数品種の芝を併用する必要があることから、管理が煩雑であるという問題点を有していた。
また、前記花を楽しむ緑地を造成するために使用される草花類の多くは、種子ができない若しくは種子ができても発芽率が悪く、自然更新しない一年生であり、年間を通して緑地とするためには、草種を変えながら季節毎に植物を植え替える必要があることから、管理が煩雑であるという同様の問題点を有していた。また、草花類には、草丈が高く、踏まれると枯れてしまうといった草種が多く、そのような草種から形成される緑地の場合には、人が立ち入ることが難しいという問題点を有していた。
さらに、最近では、生物の多様性を保全する観点から、緑地の造成に可能な限り外来種を使わないという考え方が主流になっているため、今後はそのような制約下で緑地造成を行わなければならないこととなる。
【０００４】
本発明は、前記の問題点を解決するためになされたものであり、立ち入りが可能であるとともに、管理が容易である、景観に優れた緑化方法及び緑地の管理方法を提供することを課題とする。
【課題を解決するための手段】
【０００５】
前記課題を解決するための請求項１に記載の発明は、対象基盤に日本芝を植え付けるとともに、自然更新して花を付け、かつ、前記日本芝と共生可能である、日本在来の花を付ける野草を植え付けて前記対象地盤を緑地にすること、を特徴とする緑化方法である。
【０００６】
本発明によれば、耐暑性や耐乾燥性に優れ、粗放管理に耐える多年生の日本芝を対象基盤に植え付けることによって基本植生を造成し、当該対象基盤に、前記日本芝と共生可能であり自然更新して花を付ける野草を植え付けることにより育成させて、両種を共存させている。そのため、日本芝の芽出しが始まる春に花を付ける野草の開花を楽しむことができ、春から夏にかけては、耐暑性、耐乾燥性に優れる日本芝の生育が旺盛になり、緑一面の緑地が形成される。秋になると、休眠芽あるいは種子で越夏していた花を付ける野草が再生し、日本芝と花を付ける野草が共存する状態になり、日本芝の地上部が枯れてしまう冬期には、花を付ける野草が地表を被覆することによって緑を維持することができる。従って、管理作業に手をかけることなく、景観性に優れ、人が立ち入ることができる緑地を長期間にわたって維持することができる。
【０００７】
また、請求項２に記載の発明は、対象基盤に日本芝を植え付けて、前記対象地盤に活着させる工程と、前記日本芝を活着させた後に、自然更新して花を付け、かつ、前記日本芝と共生可能である、日本在来の花を付ける野草を植え付ける工程と、を備え、前記対象地盤を緑地にすることを特徴とする緑化方法である。
【０００８】
本発明によれば、耐暑性や耐乾燥性に優れ、粗放管理に耐える多年生の日本芝を対象基盤に植え付けることによって基本植生を造成した後に、当該対象基盤に、前記日本芝と共生可能であり自然更新して花を付ける野草を植え付けることにより育成させて、両種を共存させている。そのため、日本芝の芽出しが始まる春に花を付ける野草の開花を楽しむことができ、春から夏にかけては、耐暑性、耐乾燥性に優れる日本芝の生育が旺盛になり、緑一面の緑地が形成される。秋になると、休眠芽あるいは種子で越夏していた花を付ける野草が再生し、日本芝と花を付ける野草が共存する状態になり、日本芝の地上部が枯れてしまう冬期には、花を付ける野草が地表を被覆することによって緑を維持することができる。従って、管理作業に手をかけることなく、景観性に優れ、人が立ち入ることができる緑地を長期間にわたって維持することができる。
【０００９】
また、請求項３に記載の発明は、対象基盤に日本芝を植え付けると同時に、自然更新して花を付け、かつ、前記日本芝と共生可能である、日本在来の花を付ける野草を植え付けて前記対象地盤を緑地にすること、を特徴とする緑化方法である。
【００１０】
本発明によれば、耐暑性や耐乾燥性に優れ、粗放管理に耐える多年生の日本芝を対象基盤に植え付けると同時に、当該対象基盤に、前記日本芝と共生可能であり自然更新して花を付ける野草を植え付けることにより育成させて、両種を共存させている。そのため、日本芝の芽出しが始まる春に花を付ける野草の開花を楽しむことができ、春から夏にかけては、耐暑性、耐乾燥性に優れる日本芝の生育が旺盛になり、緑一面の緑地が形成される。秋になると、休眠芽あるいは種子で越夏していた花を付ける野草が再生し、日本芝と花を付ける野草が共存する状態になり、日本芝の地上部が枯れてしまう冬期には、花を付ける野草が地表を被覆することによって緑を維持することができる。従って、管理作業に手をかけることなく、景観性に優れ、人が立ち入ることができる緑地を長期間にわたって維持することができる。
【００１１】
なお、自然更新とは人の手を加えずに芽が出て、花を咲かせ、種子を付けるという世代が繰り返されることの意味である。
また、日本芝とは日本在来（日本に自生する）の多年生の芝種であり、耐暑性、耐乾燥性に優れ、野草が生育できる空間を持っているノシバ、高麗芝、姫高麗芝及びビロード芝、改良日本芝「みやこ」等を用いることができる。
また、自然更新して花を付ける、日本在来の野草種には、多年生の種や、種子又はほふく茎などの栄養繁殖系により自然更新を行う一年生の種として、ヘビイチゴ、ミヤコグサ、スミレ類等を用いることができる。
さらに、対象基盤は、自然土壌の他、日本芝及び花を付ける野草の生育に適した土壌等を有する人工地盤等も含まれるものである。
【００１２】
また、請求項４に記載の発明は、前記請求項１乃至請求項３のいずれか１項に記載の緑化方法により緑化された前記緑地を、少なくとも、日本芝のほとんどで出穂が確認されたときに所定草高となるように刈り込みをする第一の刈り込み工程と、前記第一の刈り込み工程の後、１ヶ月から２ヶ月の間の時期に所定草高となるように刈り込みをする第二の刈り込み工程と、前記第二の刈り込み工程の後、２ヶ月から３ヶ月の間の時期に所定草高となるように刈り込みをする第三の刈り込み工程と、を行い、前記第三の刈り込み工程の後において、前記緑地に施肥を行うこと、を特徴とする緑地の管理方法である。
【発明の効果】
【００１３】
本発明によれば、非常に効率的に緑地を維持することができ、立ち入りが可能であるとともに、管理が容易である、景観に優れた緑化方法を提供することができる。
【発明を実施するための最良の形態】
【００１４】
本発明を実施するための最良の一形態（以下「実施形態」という）について、図面を参照して詳細に説明する。
【００１５】
図１に示すように、本発明の緑化方法は、植栽基盤Ｋ（対象地盤）に日本芝１０を植え付けることにより基本植生を造成し、当該植栽基盤Ｋに日本芝１０と共生可能である日本在来の花を付ける野草２０を植え付けることにより育成させ、年間を通して花が楽しめ、かつ、植物が維持される緑地を形成するものである。
【００１６】
まず、植栽基盤Ｋに日本芝１０を植え付けて、前記植栽基盤Ｋに活着させる工程として、所定形状（例えば、約３００ｍｍ×３００ｍｍ角）となるように圃場から切り出された日本芝１０を、整地された植栽基盤Ｋの上に置き、目土（図示せず）を日本芝１０の上に敷き均した後、散水を十分に施して日本芝１０の根を植栽基盤Ｋの中にしっかりと活着させる（図１（ａ））。
なお、前記植栽基盤Ｋは、植物の育成に適した排水性、通気性、肥沃度などを備えていれば、黒ぼく土や山砂などの植栽土、屋上などの人工地盤上に敷き均された軽量人工土壌、排水層と人工土壌が一体となった人工の植栽基盤を用いることができる。
【００１７】
続いて、花を付ける野草２０を植え付ける工程として、前記植栽基盤Ｋに花を付ける野草２０を植え付けて育成させる。
このとき、花を付ける野草２０の苗を植え付ける場合には、植え付けられた日本芝１０に対し、植栽基盤Ｋに至る深さである所定径の植付穴１０ａを開け、そこに花を付ける野草２０の苗を植え付け、目土によって埋め戻す（図１（ｂ），（ｃ））。植付穴１０ａは、植え付ける花を付ける野草２０の種類により異なるが、植栽基盤Ｋの１平米（ｍ2）当たり４株〜１０株設けることとする。
その後、１週間〜２週間程度の期間、充分に散水する。
【００１８】
花を付ける野草２０は、日本在来で、草高が１０ｃｍ〜３０ｃｍであり、ほふく茎などの栄養繁殖系や種子によって自然更新するヘビイチゴ、ミヤコグサ、スミレ類等を利用することができる。
なお、へビイチゴ等の比較的小型の花を付ける野草２０の日本芝１０に対する最適植え付け密度は、日本芝１０を植え付けた植栽基盤Ｋの１平米あたり、５株〜１０株である。また、スミレ類など株化する花を付ける野草２０の最適植え付け密度は、前記植栽基盤Ｋの１平米あたり４株程度である。
【００１９】
また、播種により花を付ける野草２０を育成する場合には、前記と同様に日本芝１０を十分に活着させた後、花を付ける野草２０の種子を目土と一緒に当該日本芝１０の上に散布する。
さらに、日本芝１０と花を付ける野草２０を共に育成させることも可能である。つまり、前記した植栽基盤Ｋに日本芝１０を植え付けて、前記植栽基盤Ｋに活着させる工程と花を付ける野草２０を植え付ける工程とを同時に行うことも可能である。
その場合には植え付け面積の１０％〜２０％量にあたる日本芝１０のほふく茎と、当該植栽基盤Ｋの１平米あたり、定着率を考慮して１０株〜２０株に相当する花を付ける野草２０の種子又は苗をバーク堆肥などの土壌改良材と混合して、植栽基盤Ｋの上に吹き付けることにより行うことができる。
なお、いずれの方法においても、花を付ける野草２０を植え付けた後、充分に散水を施す必要がある。
【００２０】
このように、本発明の緑化方法によれば、耐暑性や耐乾燥性に優れ、粗放管理に耐える多年生の日本芝１０を植栽基盤Ｋに植え付けることによって基本植生を造成し、当該植栽基盤Ｋに、自然更新して花を付け、前記日本芝１０と共生可能である花を付ける野草２０を最適な密度で植え付けることにより育成させて、両種を共存させることができる。
【００２１】
次に、このように緑化された緑地を管理する緑地の管理方法について説明する。
本発明の緑化方法により緑化された緑地を、日本芝１０と花を付ける野草２０の生育パターンに応じた刈り込みと施肥をすることで、当該緑地の植物を年間を通して維持するように管理する緑地の管理方法について説明する。
【００２２】
［第一の刈り込み工程］
まず、植え付けた日本芝１０のほとんどで出穂したことが確認されたときに所定草高となるように一回目の刈り込みを行う。
ここで、「日本芝１０のほとんどで出穂したことが確認されたとき」とは、日本芝１０を植え付けた総面積に対して、８０％以上の面積で日本芝１０の出穂が確認されたときをいう。
例えば、日本芝１０は、関東地域では、５月中旬から６月中旬に出穂期をむかえるので、この頃に日本芝１０の出穂を確認する。
【００２３】
［第二の刈り込み工程］
そして、第一の刈り込み工程の後、１ヶ月から２ヶ月の間の時期に所定草高となるように二回目の刈り込みを行う。
例えば、日本芝１０が生育して過密になるので、日本芝１０の根元にある花を付ける野草２０の株または生長点が腐らないようにするために梅雨明けの７月下旬に第二の刈り込み工程を行う。
【００２４】
［第三の刈り込み工程］
さらに、第二の刈り込み工程の後、２ヶ月から３ヶ月の間の時期に所定草高となるように三回目の刈り込みを行う。
例えば、花を付ける野草２０の生育に必要な日照を確保するために、休眠芽や落下種子から花を付ける野草２０が再生し始める１０月中旬頃に第三の刈り込み工程における三回目の刈り込みを行う。
また、日本芝１０の生育が止まる時期、つまり、最低気温が１０℃以下に下がった時期に第三の刈り込み工程を行うことで、休眠芽や落下種子から再生し始める花を付ける野草２０の生育に必要な日照を確保することで花を付ける野草２０が発芽しやすい状態にする。
【００２５】
また、この第三の刈り込み工程の後に、三回目の刈り込みを行った緑地に施肥をする施肥工程を行う。
緑地に施肥を行う施肥工程は、第三の刈り込み工程の後に施肥を行い、花を付ける野草２０の生育を補助し、冬期の緑度を確保するために行う。
【００２６】
このように、本発明の管理方法によれば、耐暑性や耐乾燥性に優れつつ粗放管理に耐える多年生の日本芝１０と、最適な密度に植え付けられ、自然更新して花を付け、前記日本芝１０と共生可能である花を付ける野草２０と、が植え付けられて緑化された植栽基盤Ｋの緑地を、日本芝１０と花を付ける野草２０の生育特性に合わせた時期に刈り込み、施肥を行うことによって、当該日本芝１０と花を付ける野草２０の共存状態をコントロールしている。
【００２７】
そのため、日本芝１０の芽出しが始まる春に花を付ける野草２０の開花を楽しむことができ、春から夏にかけては、耐暑性、耐乾燥性に優れる日本芝の生育が旺盛になり、緑一面の緑地が形成される。秋になると、株、生長点あるいは種子で越夏していた花を付ける野草２０が再生し、日本芝１０と花を付ける野草２０が共存する状態になり、日本芝１０の地上部が枯れてしまう冬期には、花を付ける野草２０が地表を被覆することによって緑を維持することができる。従って、夏期間中は日本芝１０、冬期は花を付ける野草２０によって緑が維持され、特別な管理を行わなくても、毎年の花を楽しめる緑地を造成することができることから、景観性に優れるとともに、人が立ち入ることができる緑地を長期間にわたって維持することが可能となる。
【００２８】
また、前記緑地において、花を付ける野草２０の植え付け密度が高くなると、当該花を付ける野草２０が優占して日本芝１０を淘汰してしまい、逆に、花を付ける野草２０の密度が低いと、冬期の緑被度が低くなり、花もまばらになって景観性が低下してしまう。しかし、本発明では、実証試験で明らかになった日本芝１０に対する最適植付け密度に基づいて、花を付ける野草２０を植栽基盤Ｋに植え付けているため、前記弊害を防止することができる。
【００２９】
以上、本発明について、好適な実施形態の一例を説明した。しかし、本発明は、前記実施形態に限られず、前記の各構成要素については、本発明の趣旨を逸脱しない範囲で、適宜設計変更が可能である。特に、緑地の刈り込み及び施肥は、地域環境及び土壌環境や、日本芝及び花を付ける野草の種類等に応じて、適宜、回数等を変更することができる。また、本発明は、多目的広場、校庭、法面、遊休地等の地盤や、屋上を含む建築構造物周辺等の人工地盤上等の各種の対象基盤に適用することができる。
【実施例】
【００３０】
［花を付ける野草の品種の検討］
以下、本発明の緑化方法を適用した実施例について説明する。
なお、第一の刈り込み工程における一回目の刈り込みが行われる時期について、植え付けた日本芝１０の８０％以上の面積で出穂が確認された時期を６月として説明する。
【００３１】
本実施例では、以下の方法により、実証試験を行うための緑地を造成した。
ノシバを３月に植栽基盤に張り芝し、１ヶ月の養生期間をおいて活着させた後、自然草高や繁殖様式の異なる５種類の花を付ける野草（ヘビイチゴ、関東タンポポ、ノジスミレ、ミヤコグサ、ゲンノショウコ）を、それぞれ４平米の区画に、１平米当たり４株ずつ植え付けた。なお、各花を付ける野草の生育特性を表１に示す。
【００３２】
【表１】
2005328705.tif 000003
【００３３】
そして、６月から定期的に、目視によって緑被度［植栽基盤の全面積に対する、緑葉が覆っている領域の面積割合(１：０％〜１０％ ，・・・，１０：９０％〜１００％)］と品質［日本芝と花を付ける野草のバランスなどに着目した美観性（１：劣，・・・，１０：最優）］について、各々１０段階でスコアリングするとともに、草高の計測を行った。
【００３４】
また、緑地の管理作業については、６月、７月及び１０月に高さ５０ｍｍとなるように刈り込みを行い、１０月の刈り込み後に、窒素量あたり３ｇ/ｍ2の割合で、肥料を与えた。なお、人為的な散水は行わず、雨水のみで生育させた。
【００３５】
［緑地の緑被度の検討］
まず、ノシバを活着させた植栽基盤に、別々に各花を付ける野草を植え付けた場合における、各緑地の緑被度の経時変化を図２に示す。
その結果、いずれの緑地においても、ノシバの生育期にあたる６月〜１０月の間は、緑被度スコアが８点〜９点で維持される結果となった。
また、ノシバの地上部が枯れてしまう１２月以降は緑被度が低下したが、ヘビイチゴ、関東タンポポ、ノジスミレを植え付けた緑地では、冬期間中（２月）でも、緑被度スコアが１点〜４点で維持される結果となった。前記ヘビイチゴ、関東タンポポ、ノジスミレは株で越夏し、ノシバの生育が低下する秋から冬にかけて茎葉を広げるため、ノシバが枯れた後も花を付ける野草が緑被度を維持することとなる。そのために、このような結果となったものと考えられる。
【００３６】
但し、関東タンポポは、越冬後、春から夏にかけて大きく株化し、ノシバを駆逐してしまうため、翌春の緑被度がヘビイチゴやノジスミレを植え付けた区画に比べて低下するという結果となった。
ゲンノショウコについても、春から初夏にかけて旺盛に生育し草高が５０ｃｍ以上になり（図３）、ノシバを駆逐してしまうため、ゲンノショウコの地上部が枯れる秋から翌春まで緑被度が低くなるという結果となった。
【００３７】
従って、自然草高が３０ｃｍ以上になる野草は日本芝と共存できないことが明らかとなった。また、種子で繁殖するミヤコグサについては、秋から冬にかけて落下種子から発芽した幼苗がノシバの枯れ葉の下で、越冬するため、冬期間中の緑被度は０点だった。従って、ヘビイチゴやノジスミレをノシバに混植することによって常緑緑地を造成できること、及び、年３回の刈り込みと年1回の肥料散布で緑地を維持できることが確認された。
【００３８】
［常緑緑地の草高の検討］
続いて、緑被度の推移を調査した緑地において、ノシバと花を付ける野草の草高の経時変化を調べた結果を図３に示す。
【００３９】
６月の刈り込みによって、６月〜７月に生育期がピークになるノシバの草高を夏期間中、公園管理に適した２０ｃｍ程度に維持することができた。また、１０月の刈り込みによってノシバの茎葉が刈り払われることにより、株で越夏していた花を付ける野草に日照が届くようになった。そのため、１０月以降、花を付ける野草が旺盛に生育した。
なお、ヘビイチゴは地表面を遣うことによって増殖するため、年間を通して草高が１０ｃｍ以下で推移した。ノジスミレは、関東タンポポほど大型化しないため、年間を通して草高が１０ｃｍ〜１５ｃｍで推移した。
【００４０】
［常緑緑地の品質の検討］
次に、ノシバを活着させた複数の植栽基盤に、別々に各花を付ける野草を植え付けた場合における、緑地の品質の経時変化を図４に示す。なお、品質の評価は、ノシバのみの状態を基準点である３点とし、ノシバと各花を付ける野草が共存している状況で景観性に応じて基準点に加点するとともに、ノシバのみで生育状況が悪いときには基準点から減点した（以下、品質の評価を「品質スコア」という）。
【００４１】
品質スコアの推移については、春から初夏にかけて花を付ける野草を植え付けたことから、ゲンノショウコを植え付けた緑地を除いて６月に品質スコアがいずれも５点〜６点となり、ノシバと花を付ける野草の共存によって景観性に優れる緑地が形成されていることが明らかになった。なお、その中でも、７月まで開花期が続くミヤコグサを植えた緑地の品質スコアが最も高かった。
【００４２】
８月になると、花を付ける野草の生育が停滞し、ノシバの茎葉に隠れてしまうため、品質スコアが２点〜３点にまで低下してしまったが、花を付ける野草が生育を始める１０月以降には、ミヤコグサとゲンノショウコを植え付けた緑地以外は、品質スコアが４点〜５点まで増加した。
冬期間中（２月）はいずれも花を付ける野草のみとなってしまうため、品質スコアは３点以下になってしまうが、翌春になってノシバの萌芽とともに野草が開花し始めると、品質スコアが４点程度まで回復した。
【００４３】
供試した５品種の花を付ける野草の中で、ノシバとバランスよく共存し、黄色の花が咲くヘビイチゴを植え付けた区画の品質スコアが最も高かった。
一方、関東タンポポは 生育が旺盛で、茎葉が大きく、ノシバとのバランスが悪いと判断された。
【００４４】
［最適植え付け密度の検討］
さらに、ノシバと花を付ける野草を共存させるための最適植え付け密度を設定するために、植え付け密度を変えて、ノシバを活着させた植栽基盤にヘビイチゴを植え付けた場合における各対象植栽基盤の緑被度を１年間に渡って調査した（図５）。なお、植え付け密度は、ノシバ１平米あたり、ヘビイチゴを２株、４株及び８株の割合で植え付けた場合について、試験を行った。
【００４５】
その結果、ノシバの生育期にあたる６月〜９月の間では、緑被度の差は見られないが、ノシバの生育量が低下する１０月以降ヘビイチゴを１平米あたり２株植え付けた植栽基盤の緑被度が他の２つと比較して低く推移し、特にノシバが冬期休眠に入る１２月から翌春４月まで、緑被度の差異が顕著になった。
【００４６】
以上から、ノシバと花を付ける野草を共存させて緑地を造成する場合には、ノシバ１平米あたり４株以上の花を付ける野草が必要であることが確認された。また、花を付ける野草の苗の植え付けるにあたって、１０株以上を植え付けるとノシバの生育が抑制されてしまうことが確認された。
【図面の簡単な説明】
【００４７】
【図１】（ａ）〜（ｃ）ともに、本発明の緑地の造成方法を示す斜視図である。
【図２】ノシバを活着させた植栽基盤に植え付けた花を付ける野草の品種の違いによる、当該緑地の緑被度の経時変化を示したグラフである。
【図３】ノシバを活着させた植栽基盤に植え付けた花を付ける野草の品種の違いによる、当該緑地の草高の経時変化を示したグラフである。
【図４】ノシバを活着させた植栽基盤に植え付けた花を付ける野草の品種の違いによる、当該緑地の品質スコアの経時変化を示したグラフである。
【図５】植え付け密度を変えて、ノシバを活着させた植栽基盤にヘビイチゴの植え付けた場合における、当該緑地の緑被度の経時変化を示したグラフである。
【符号の説明】
【００４８】
１０    日本芝
２０    花を付ける野草
Ｋ      植栽基盤（対象基盤）
【図１】
2005328705.tif 000004
【図２】
2005328705.tif 000005
【図３】
2005328705.tif 000006
【図４】
2005328705.tif 000007
【図５】
2005328705.tif 000008